(57)【要約】      （修正有）【課題】塗装作業に適した架台であって、架台を複数個積み上げるだけで作業用の足場を構成する架台を提供し、さらに専門の足場業者でなくとも設置することが可能な足場を提供する。【解決手段】柱材３ａと長尺材と短尺材３ｇとで、概略直方体の空間を囲う枠を構成し、中短尺材３ｆを取り付け、柱材３ａ、下短尺材３ｇ及び中短尺材３ｆの端面が角パイプの断面３ｐをそれぞれ表出する架台３とする。また、柱材３ａに継手７を挿入して架台３を複数段積み上げ、床板５ａを載せ、最下段の架台３の柱材３ａに支柱材１０を挿入し、支柱材１０の下に脚部１１を取り付けてなる作業足場とする。さらに、補助柱８や足場板１６や手摺材１４を取り付けた作業足場とする。【選択図】図４
0003121964.tif 000002
【実用新案登録請求の範囲】
【請求項１】
角パイプからなる４本の柱材と、上部において前記４本の柱材の内の２本に対してその両端においてそれぞれ連結する２本の上長尺材と、下部において前記４本の柱材の内の２本に対してその両端においてそれぞれ連結する２本の下長尺材と、
上部において前記４本の柱材の内の２本に対してその両端においてそれぞれ連結する２本の上短尺材と、角パイプからなる２本の下短尺材であって、下部において前記４本の柱材の内の２本に対してその両端を重ねてそれぞれ連結する下短尺材とで、概略直方体の空間を区切る枠からなる架台を構成し、
角パイプからなる２本の中短尺材であって、前記上短尺材と前記下短尺材の略中間位置において前記４本の柱材の内の２本に対してその両端を重ねてそれぞれ連結する中短尺材を取り付け、
前記４本の柱材の全てが、少なくとも上側又は下側のいずれかの端面において角パイプの断面を表出するものとし、
２本の前記柱材と前記上長尺材及び前記下長尺材を４辺とする２面の内の片方の面を作業面とし、前記２本の下短尺材及び前記２本の中短尺材が、少なくとも前記作業面側の端面においていずれも角パイプの断面を表出するものとしたことを特徴とする架台。
【請求項２】
請求項１に記載した架台において、角パイプからなる２本の中下短尺材であって、中短尺材と下短尺材の間の位置に４本の柱材の内の２本に対してその両端を重ねてそれぞれ連結する中下短尺材を取り付け、
角パイプからなる２本の上中短尺材であって、上短尺材と中短尺材の間の位置に４本の柱材の内の２本に対してその両端を重ねてそれぞれ連結する上中短尺材を取り付け、
さらに、前記２本の中下短尺材及び前記２本の上中短尺材が、少なくとも作業面側の端面においていずれも角パイプの断面を表出するものとしたことを特徴とする架台。
【請求項３】
請求項１又は請求項２のいずれかに記載した架台において、２本の上短尺材に並べて木材からなる角棒を取り付けたことを特徴とする架台。
【請求項４】
請求項１〜請求項３のいずれかに記載した架台において、縦桟と横桟とからなる梯子を有することを特徴とする架台。
【請求項５】
請求項１〜請求項４のいずれかに記載した架台を複数個積み上げ、下長尺材と下短尺材を４辺とする長方形の枠の上に床板を取り付けたことを特徴とする作業用の足場。
【請求項６】
請求項５に記載した足場において、一番下の架台の４本の柱材の中に下側からそれぞれ支柱材を挿入して固定し、４本の前記支柱材の下にそれぞれレベル調節機能を有する脚部を設けたことを特徴とする作業用の足場。
【請求項７】
請求項６に記載した足場において、一番下の架台の下短尺材と中短尺材の作業面側に補助柱を取り付け、前記補助柱の補助縦材の中にそれぞれ支柱材を挿入して固定し、前記支柱材の下にそれぞれレベル調節機能を有する脚部を設けたことを特徴とする作業用の足場。
【請求項８】
請求項５〜請求項７のいずれかに記載した足場において、２本の下短尺材の中に作業面側から延長材を挿入し、前記下短尺材に一端を挿入した前記延長材の上に足場板を載せ、さらに、２本の中短尺材の中に延長材を挿入し、前記中短尺材に一端を挿入した前記延長材に手摺材を取り付けたことを特徴とする作業用の足場。
【請求項９】
請求項２に記載した架台を積み重ねてなる足場であって、２本の中下短尺材の中に作業面側から延長材を挿入し、中下短尺材に取り付けた前記延長材の上に足場板を載せ、さらに、２本の上中短尺材の中に延長材を挿入し、上中短尺材に取り付けた前記延長材に手摺材を取り付けたことを特徴とする作業用の足場。
【請求項１０】
請求項３に記載した架台を積み重ねてなる足場であって、足場の回りをネットで囲い、ビスを木材からなる角棒にねじ込むことにより、前記ネットを取り付けたことを特徴とする作業用の足場。
【考案の詳細な説明】
【技術分野】
【０００１】
本考案は、３階〜５階程度の建造物の外壁の塗装作業に好適な作業用の足場に関するものである。特に、現場における設置と撤去作業の容易な足場を提供することにより、塗装工事における費用の半分近くを占める足場に掛かる経費を削減し、塗装業者が足場の設置工事の日程に左右されずに塗装工事を行うことを可能とする効果が得られるようにした作業用の足場に関するものである。
【背景技術】
【０００２】
従来においては建造物の外壁の塗装工事をするときは、外壁の回りに丸太や単管を組んだ塗装足場や、ビディと単管と踏板を組み合わせた枠組み足場などを設置して塗装作業を行っていた。
しかし、従来の足場は専門の足場業者に依頼して、専門業者が足場を設置した後に塗装作業を行い、塗装終了後に再び足場業者に足場を撤去してもらっていた。従来の足場は専門業者でなければ設置することができない構成になっていたからである。
このため、塗装工事における費用の３０〜５０％は足場の費用となっていて、顧客の経済的負担が過大となる問題があった。また、塗装業者は足場の設置と撤去作業を専門業者に依頼しなければならず、足場の設置工事の日程に合わせるために工期の予定を効率良く計画することが困難となる問題があった。
【考案の開示】
【考案が解決しようとする課題】
【０００３】
本考案は、上記した従来技術の欠点を除くためになされたもので、塗装作業に適した架台を提供し、架台を複数個積み上げるだけで作業用の足場を構成するようにして、専門の足場業者でなくとも設置することが可能な作業用の足場を提供することにある。
【課題を解決するための手段】
【０００４】
４本の柱材と４本の長尺材と４本の短尺材で概略直方体の空間を囲う枠を構成し、さらに中短尺材を取り付けた架台とする。そして、４本の柱材の上下いずれかの端面並びに２本の下短尺材及び２本の中短尺材の作業面側の端面を角パイプの断面を表出するものとする。また、下部に取り付けた２本の下長尺材と２本の下短尺材を４辺とする長方形の枠の上側に床板を取り付ける。さらに、そのような架台を複数段積み上げてなる作業用の足場とする。
【考案の効果】
【０００５】
本考案により、架台を複数個積み上げるだけで作業用の足場を設置することが可能なため、足場に係るコストを低減することができた。
また、専門の足場業者に依頼する必要がなくなったので、塗装業者が足場の設置工事の影響を受けることなく、自由に工事の日程を計画して実施することが可能となった。
【考案を実施するための最良の形態】
【０００６】
請求項１の考案は、角パイプからなる４本の柱材と、上部において４本の柱材の内の２本に対してその両端においてそれぞれ連結する２本の上長尺材と、下部において４本の柱材の内の２本に対してその両端においてそれぞれ連結する２本の下長尺材と、上部において４本の柱材の内の２本に対してその両端においてそれぞれ連結する２本の上短尺材と、角パイプからなる２本の下短尺材であって、下部において４本の柱材の内の２本に対してその両端を重ねてそれぞれ連結する下短尺材とで、概略直方体の空間を区切る枠からなる架台を構成する。
また、角パイプからなる２本の中短尺材であって、上短尺材と下短尺材の略中間位置において４本の柱材の内の２本に対してその両端を重ねてそれぞれ連結する中短尺材を取り付ける。そして、４本の柱材の全てが、少なくとも上側又は下側のいずれかの端面において角パイプの断面を表出するものとし、２本の柱材と上長尺材及び下長尺材を４辺とする２面の内の片方の面を作業面とし、２本の下短尺材及び２本の中短尺材が、少なくとも作業面側の端面においていずれも角パイプの断面を表出した架台とする。
４本の柱材は軽量であって強度が高く他の架台と連結するために適していることから角パイプを使用する。このとき、柱材の長さは人の身長により少し長めの１８００〜２２００ｍｍ程度が好ましい、また、作業面の空間の高さは１６００〜２０００ｍｍ程度とすることがが好ましい。
上長尺材と下長尺材は必ずしも角パイプである必要はないが、使用材料を統一する観点からは角パイプとすることが好ましい。上長尺材や下長尺材と柱材との接合する姿について、上長尺材や下長尺材の端面を柱材に突き当てて接合する構成と、上長尺材や下長尺材の両端を柱材に重ねて接合する構成とあるがいずれでも構わない。
上短尺材は必ずしも角パイプである必要はないが、使用材料を統一する観点からは角パイプとすることが好ましい。下短尺材は軽量であって強度が高く他の部材を挿入して固定するために適していることから角パイプを使用する。
上短尺材と柱材との接合する姿について、上短尺材の端面を柱材に突き当てて接合する構成と、上短尺材の両端を柱材に重ねて接合する構成とあるがいずれでも構わない。一方、下短尺材と柱材との接合する姿については、少しサイズの小さな角パイプや延長材をその中に挿入して取り付け可能にするため、下短尺材の両端を柱材に重ねて接合する。
以上により４本の柱材と、２本の上長尺材と、２本の下長尺材と、２本の上短尺材及び２本の下短尺材とで概略直方体の空間の各稜を枠で区切った架台を構成する。
中短尺材は少しサイズの小さな角パイプや延長材を挿入して固定するために適していることから角パイプを使用する。また、中短尺材と柱材との接合する姿については、少しサイズの小さな角パイプや延長材をその中に挿入して取り付け可能にするため、下短尺材の両端を柱材に重ねて接合する。
４本の柱材の全てが、少なくとも上側又は下側のいずれかの端面において角パイプの断面を表出する構成としたのは、架台を積載するときに下側の架台の柱材の上部と上側の架台の柱材の下部の両方に別部品の継手を挿入したり、一方の架台の柱材の上部を他方の架台の下部に挿入したり、一方の架台の柱材の下部を他方の架台の上部に挿入する構成などとするためである。
また、２本の下短尺材及び２本の中短尺材について、少なくとも作業面側の端面において角パイプの断面を表出するようにしたのは、連結棒を挿入して補助柱を取り付けたり、延長材を挿入して足場板を載せたり、延長材を挿入してその先端に手摺材を取り付けたりするためである。
【０００７】
請求項２の考案は、請求項１に記載した架台において、角パイプからなる２本の中下短尺材であって、中短尺材と下短尺材の間の位置に４本の柱材の内の２本に対してその両端を重ねてそれぞれ連結する中下短尺材を取り付け、また、角パイプからなる２本の上中短尺材であって、上短尺材と中短尺材の間の位置に４本の柱材の内の２本に対してその両端を重ねてそれぞれ連結する上中短尺材を取り付け、さらに、２本の中下短尺材及び２本の上中短尺材が、少なくとも作業面側の端面においていずれも角パイプの断面を表出するものとした架台とする。
人が作業をするために適した作業面を得るためには、架台の高さは２ｍ程度が適当である。２ｍの架台とすると架台の上部付近の壁面を塗装するときの作業性が悪くなることが考えられる。
本考案は、中下短尺材に延長材を挿入して固定しその上に足場板を載せ、また上中短尺材に延長材を挿入して固定しその先端に手摺材を取り付けることにより、一段高い作業用の床を提供可能な構成として、架台の上部付近の壁面を塗装するときの作業性を良くしたものである。
このため、中下短尺材と上中短尺材はそれぞれ下短尺材や中短尺材床より２５０〜５００ｍｍ高い位置に取り付ける構成が好ましい。また、中下短尺材及び上中短尺材は軽量であって強度が高く、延長材を挿入して固定するために適していることから角パイプを使用する。そして、中下短尺材や上中短尺材と柱材との接合する姿については、延長材をその中に挿入して固定可能にするため、中下短尺材や上中短尺材の両端を柱材に重ねて接合する。
請求項３の考案は、請求項１又は請求項２のいずれかに記載した架台において、２本の上短尺材に並べて木材からなる角棒を取り付けた架台とする。
木材の角棒を取り付けることにより、ネットを架台に取り付けるときにビスを使用して止めることを可能な構成としたものである。
請求項４の考案は、請求項１〜請求項３のいずれかに記載した架台において、縦桟と横桟とからなる梯子を有する架台とする。
架台に梯子機能を設けておき、別途に梯子や階段を取り付けることなく、上部の架台まで上り下り可能な構成としたものである。
【０００８】
請求項５の考案は、請求項１〜請求項４のいずれかに記載した架台を複数個積み上げ、下長尺材と下短尺材を４辺とする長方形の枠の上に床板を取り付けた作業足場とする。
３階〜５階程度の建造物の外壁を塗装するときに適した作業用の足場を提供するためには、架台を５個程度積み上げた作業用の足場であればよい。
下長尺材と下短尺材を４辺とする長方形の枠の上に床板を取り付けて作業者が作業するための作業床を構成したものである。床板は複数個に分割して梯子などにより上り下りする部分は単独で取り外し可能な構成としたり、あるいは床板を一枚物として梯子などにより上り下りする部分に開閉式の扉を設ける構成とする。
請求項６の考案は、請求項５に記載した足場において、一番下の架台の４本の柱材の中に下側からそれぞれ支柱材を挿入して固定し、４本の支柱材の下にそれぞれレベル調節機能を有する脚部を設けた作業用の足場とする。
建造物の下部については地面から塗装作業ができるので、一番下の架台の下面は人が入れる高さだけ地面から離れて設置すればよい。
角パイプからなる４本の柱材の中に挿入する支柱材は、柱材より少し小さな角パイプとすると、軽くて強度的に優れており角パイプ同士の間で相対的に回転することがなく、固定することも容易なため好ましい。
また、地面の状況が脚部を載せる位置毎に異なることに対応するため、長い支柱材を柱材に挿入して、柱材から下に出る支柱材の長さを段階的に調節する構成とすることが好ましい。
脚部はプレート部とボルト部とナット部を有するものとし、ナットを回転することにより、支柱材の高さ位置を調節可能な構成とする。
請求項７の考案は、請求項６に記載した足場において、一番下の架台の下短尺材と中短尺材の作業面側に補助柱を取り付け、前記補助柱の補助縦材の中にそれぞれ支柱材を挿入して固定し、前記支柱材の下にそれぞれレベル調節機能を有する脚部を設けた作業用の足場とする。
足場と建物の距離が短かい場合は、作業者は架台から外に身を乗り出して作業することはないため補助柱は不要であるが、足場と建物の間の距離が長い場合は作業者は架台から壁に向かって身を乗り出して作業することがある。このような場合は、補助柱を取り付けて安定性の高い足場とすることが好ましい。
補助柱は２本の補助横材と１本の補助縦材を有するものとし、２本の補助横材の先端部分を下短尺材や中短尺材より少し小さなサイズの角パイプとして、下短尺材や中短尺材の中にその先端部を挿入した状態で固定する構成としたり、２本の補助横材と下短尺材と中短尺材とを同じサイズの角パイプとして、少し小さな角パイプからなる別部品の連結棒を、補助横材と下短尺材の両方及び補助横材と中短尺材の両方にそれぞれ挿入して固定する方法など好ましい。
【０００９】
請求項８の考案は、請求項５〜請求項７のいずれかに記載した足場において、２本の下短尺材の中に作業面側から延長材を挿入して固定し、下短尺材に一端を挿入した延長材の上に足場板を載せ、さらに、２本の中短尺材の中に延長材を挿入して固定し、中短尺材に一端を挿入した延長材に手摺材を取り付けた作業用の足場とする。
本考案は建造物の壁と足場との距離が長い場合に使用するものである。２本の下短尺材に取り付けた延長材に足場板を載せ、また２本の中短尺材に取り付けた延長材の先に手摺材を取り付けることにより、作業者が足場と建造物の間の隙間に落下することを防いだり、作業者が建造物の壁に近づいて作業できるように構成したものである。
請求項９の考案は、請求項２に記載した架台を積み重ねてなる足場であって、２本の中下短尺材の中に作業面側から延長材を挿入して固定し、中下短尺材に取り付けた延長材の上に足場板を載せ、さらに、２本の上中短尺材の中に延長材を挿入して固定し、上中短尺材に取り付けた延長材に手摺材を取り付けた作業用の足場とする。
本考案は建造物の壁と作業足場との距離が長い場合であって、架台の上部付近の壁面を塗装するときのために、作業者が建造物の壁に近づいた位置に、架台の作業床より一段高い高さに足場板を設置可能な構成としたものである。このため、足場板を架台の作業床より２５０〜５００ｍｍ高い位置に取り付け可能な構成が好ましい。
請求項１０の考案は、請求項３に記載した架台を積み重ねてなる作業足場であって、足場の回りをネットで囲い、ビスを木材からなる角棒にねじ込むことにより、前記ネットを取り付けた作業用の足場とする。
塗装作業においては塗料が外に飛散することを防止するためにネットを張るが、本考案はネットを座金つきのビスで押さえて、木材からなる角棒にビスをねじ込むことによりネットを取り付けるようにしたものである。
【実施例１】
【００１０】
以下本考案の実施例１を図１に示して説明する。実施例１の架台３はいずれも一辺６０ｍｍの角パイプからなる４本の柱材３ａと、２本の上長尺材３ｂと、２本の下長尺材３ｄと、２本の上短尺材３ｅ及び２本の下短尺材３ｇとで概略直方体の空間を区切る枠からなる架台３とした。
柱材３ａは全長２０００ｍｍの長さを有するものとし、柱材３ａは上長尺材３ｂや上短尺材３ｅより上に突きだし、また下長尺材３ｄや下短尺材３ｇより下に突きだし、柱材３ａの上下の端面は両方とも角パイプの断面３ｐをそのまま表出するようにした。
２本の上長尺材３ｂは上部においてそれぞれ２本の柱材３ａに対してその両端を突き当てて連結し、また２本の上短尺材３ｅは上部においてそれぞれ２本の柱材３ａに対してその両端を重ねて連結する。このとき、２本の上長尺材３ｂと２本の上短尺材３ｅは上下の面をそろえて同じ高さに取り付けた。
一方、２本の下長尺材３ｄは下部においてそれぞれ２本の柱材３ａに対してその両端を突き当てて連結し、また２本の下短尺材３ｇは下部においてそれぞれ２本の柱材３ａに対してその両端を重ねて連結する。このとき、２本の下長尺材３ｄと２本の下短尺材３ｇは上下の面をそろえて同じ高さに取り付けた。
また、２本の柱材３ａと上長尺材３ｂ及び下長尺材３ｄにより同一面の枠を構成するようにして取り付け、２本の柱材３ａと上長尺材３ｂ及び下長尺材３ｄを４辺とする２面の内の片方の面を作業面６とした。
また、一辺６０ｍｍ角の角パイプからなる中長尺材３ｃを、作業面６の反対側の面を構成する２本の柱材３ａに対して、上長尺材３ｂと下長尺材３ｄの略中間位置において、その両端を突き当てて柱材３ａに面をそろえて連結した。
また、一辺６０ｍｍの角パイプからなる２本の中短尺材３ｆを、上短尺材３ｅと下短尺材３ｇの略中間位置において、２本の柱材３ａに対してその両端を重ねてそれぞれ連結するようにし、２本の中短尺材３ｆと中長尺材３ｃは同じ高さに取り付けた。
このとき、２本の上短尺材３ｅ、２本の下短尺材３ｇ及び２本の中短尺材３ｆの全てが両方の端面においていずれも角パイプの断面３ｐをそのまま表出するようにした。
また、作業面６の反対側の面を構成する２本の柱材３ａの内の１本の柱材３ａと平行に縦桟３ｈを取り付け、柱材３ａと縦桟３ｈの間に複数本の横桟３ｊを取り付けて梯子を構成するものとした。
そして、４本の柱材３ａ、２本の上短尺材３ｅ、２本の下短尺材３ｇ及び２本の中短尺材３ｆには、端面から他の部材を挿入してボルト締めにより固定するための複数のボルト穴３ｉを開けた。
また、２本の上短尺材３ｅに並べて木材からなる角棒３ｋを取り付た。
また、別部品として４本の継手７を有するものとした。 継手７は一辺６０ｍｍの角パイプからなる非挿入部７ｂの上下にそれぞれ一辺５０ｍｍの角パイプからなる挿入部７ａを取り付けたもので、ボルト締めのための穴７ｃが明けてある。実施例１の架台３を積み上げるときは、上下の架台３の４本の柱材３ａの間にそれぞれ継手７の挿入部７ａを挿入し、ボルト締めして固定する。
【実施例２】
【００１１】
次に実施例２を図２に示して説明する。実施例２の架台４はいずれも一辺６０ｍｍの角パイプからなる４本の柱材４ａと、２本の上長尺材４ｂと、２本の下長尺材４ｄと、２本の上短尺材４ｅ及び２本の下短尺材４ｇとで概略直方体の空間を区切る枠からなる架台４とした。
柱材４ａは全長２０００ｍｍの長さを有するものとし、柱材４ａは上長尺材４ｂや上短尺材４ｅより上に突きだし、また下長尺材４ｄや下短尺材４ｇより下に突きだし、柱材４ａの上下の端面は両方とも角パイプの断面４ｐをそのまま表出するようにした。
２本の上長尺材４ｂは上部においてそれぞれ２本の柱材４ａに対してその両端を突き当てて連結し、また２本の上短尺材４ｅは上部においてそれぞれ２本の柱材４ａに対してその両端を重ねて連結する。このとき、２本の上長尺材４ｂと２本の上短尺材４ｅは上下の面をそろえて同じ高さに取り付けた。
一方、２本の下長尺材４ｄは下部においてそれぞれ２本の柱材４ａに対してその両端を突き当てて連結し、また２本の下短尺材４ｇは下部においてそれぞれ２本の柱材４ａに対してその両端を重ねて連結する。このとき、２本の下長尺材４ｄと２本の下短尺材４ｇは上下の面をそろえて同じ高さに取り付けた。
また、２本の柱材４ａと上長尺材４ｂ及び下長尺材４ｄにより同一面の枠を構成するように取り付け、２本の柱材４ａと上長尺材４ｂ及び下長尺材４ｄを４辺とする２面の内の片方の面を作業面６とした。
また、一辺６０ｍｍ角の角パイプからなる中長尺材４ｃを、作業面６の反対側の面を構成する２本の柱材４ａに対して、上長尺材４ｂと下長尺材４ｄの略中間位置において、その両端を突き当てて柱材４ａに面をそろえて連結した。
また、一辺６０ｍｍの角パイプからなる２本の中短尺材４ｆを、上短尺材４ｅと下短尺材４ｇの略中間位置において、２本の柱材４ａに対してその両端を重ねてそれぞれ連結するようにし、２本の中短尺材４ｆと中長尺材４ｃは同じ高さに取り付けた。
さらに、一辺６０ｍｍの角パイプからなる２本の中下短尺材４ｎと２本の上中短尺材４ｍを、中下短尺材４ｎを下短尺材４ｇから３５０ｍｍ高い位置に、上中短尺材４ｍを中短尺材４ｆから４００ｍｍ高い位置にそれぞれ取り付けた。
このとき、２本の上短尺材４ｅ、２本の下短尺材４ｇ、２本の中短尺材４ｆ、２本の中下短尺材４ｎ及び２本の上中短尺材４ｍの全てが両方の端面においていずれも角パイプの断面４ｐをそのまま表出するようにした。
また、作業面６の反対側の面を構成する２本の柱材４ａの内の１本の柱材４ａと平行に縦桟４ｈを取り付け、柱材４ａと縦桟４ｈの間に複数本の横桟４ｊを取り付けて梯子を構成するものとした。
そして、４本の柱材４ａ、２本の上短尺材４ｅ、２本の下短尺材４ｇ、２本の中短尺材４ｆ、２本の中下短尺材４ｎ及び２本の上中短尺材４ｍには、端面から他の部材を挿入してボルト締めにより固定するための複数のボルト穴４ｉを明けた。
また、２本の上短尺材４ｅに並べて木材からなる角棒４ｋを取り付けた。実施例１と同様、別部品として４本の継手７を有するものとした。
実施例２の架台４では、２本の中下短尺材４ｎと２本の上中短尺材４ｍにそれぞれ木の角材からなる延長材１２を挿入してボルト締めにより固定し、２本の中下短尺材４ｎに挿入した延長材１２の上に足場板１６を載せ、２本の上中短尺材４ｍに挿入した延長材１２の先端に手摺材１４を取り付けることにより、下長尺材４ｄと下短尺材４ｇに床板５ａ、５ｂを載せた作業床５より一段高い作業用の床を得ることができる。
【実施例３】
【００１２】
次に実施例３を図３に示し説明する。実施例３は架台３を５段に積み上げた足場１である。各架台の４本の柱材３ａの上下の間には継手材７を挿入してボルト締めして固定した。そして、各架台の下長尺材３ｄと下短尺材３ｇの上面に床板５ａ、５ｂを載せてこれを作業床５とした。
また、一番下の４本の柱材３ａには４本の支柱材１０をそれぞれ挿入しボルト締めにより固定した。支柱材１０は一辺５０ｍｍの角パイプで１６００ｍｍの長さを有するものとし、多数のボルト穴を設けて柱材３ａから下に出る支柱材１０の長さを段階的に調節する構成とした。支柱材１０の下面には脚部１１のボルト部１１ｂは貫通するがナット部１１ｃは通らない穴を有する止部材１０ａが取り付けてある。
脚部１１はボルト部１１ｂとナット部１１ｃとプレート１１ａを有し、ボルト部１１ｂを止部材１０ａの穴に挿入して、ナット部１１ｃを回すことにより、プレート１１ａの下面から止部材１０ａまでの距離を自由に調節することができるように構成した。
また、作業足場１の外周には図示しないネットを張った。各架台３には木材の角棒３ｋが取り付けてあるので、これに座金付きのビスをねじ込むことにより、ネットを各架台３に固定した。
実施例３の足場１は作業面６を建造物の壁面に近づけて取り付ける場合に有用である。一番下の作業床より低い壁面については、地面に作業者が立って塗装作業を行う。
地面と一番下の作業床の間を上り下りするときは、床板５ｂを外し市販の梯子を使用する。上下の各架台３の間を上り下りするときは、床板５ｂを外して縦桟３ｈと横桟３ｊからなる梯子を利用する。
【実施例４】
【００１３】
次に実施例４を図４に示し説明する。実施例４は架台３を５段に積み上げた足場２である。各架台の４本の柱材３ａの上下の間には継手７を挿入してボルト締めして固定した。そして、各架台の下長尺材３ｄと下短尺材３ｇの上面に床板５ａ、５ｂを載せてこれを作業床５とした。
また、補助縦材８ｂと２本の補助横材８ａを有する補助柱８を２本設け、一番下の架台３の中短尺材３ｆと下短尺材３ｇの中に、一辺５０ｍｍの角パイプ材からなる連結棒の片方の端部を挿入してボルトで固定し、他方の端部をそれぞれ２本の補助横材８ａの中に挿入してボルトで固定した。
そして、一番下の４本の柱材３ａと２本の補助縦材８ｂには、合計６本の支柱材１０をそれぞれ挿入しボルト締めにより固定した。支柱材１０は一辺５０ｍｍの角パイプで１６００ｍｍの長さを有するものとし、多数のボルト穴を設けて柱材３ａから下に出る支柱材１０の長さを段階的に調節する構成とした。支柱材１０の下面には脚部１１のボルト部１１ｂは貫通するがナット部１１ｃは通らない穴を有する止部材１０ａが取り付けてある。
脚部１１はボルト部１１ｂとナット部１１ｃとプレート１１ａを有し、ボルト部１１ｂを止部材１０ａの穴に挿入して、ナット部１１ｃを回すことにより、プレート１１ａの下面から止部材１０ａまでの距離を自由に調節することができるように構成した。
また、２段目以上の架台３の中短尺材３ｆと下短尺材３ｇの中に木の角材からなる延長材１２の片方の端部を挿入してボルト締めして固定した。
そして、補助柱８の下側の２本の補助横材８ａ及び２段目以上の架台３の下短尺材３ｇに挿入した２本の延長材１２の上には足場板１６を載せ、補助柱８の上側の２本の補助横材８ａ及び２段目以上の架台３の中短尺材３ｆに挿入した２本の延長材１２には手摺材１４を取り付けた。
また、作業足場１の外周には図示しないネットを張った。各架台３には木材の角棒３ｋが取り付けてあるので、これに座金付きのビスをねじ込むことにより、ネットを各架台３に固定した。さらに、架台の上短尺材３ｅに木の角材を挿入してボルト締めにより固定し、上短尺材３ｅから突き出た木の角材に座金付きのビスをねじ込むことによりネットを固定した。
実施例３の足場１は作業面６を建造物の壁面から離れて取り付ける場合に有用である。壁面から離れて足場１を設置する場合は、架台３と壁面との間の隙間に作業者が落下する事故が生じるおそれがあるが、実施例４では架台３と壁面との間に足場板１６と手摺材１４を置くことにより、事故の発生を防止することができるからである。
【産業上の利用可能性】
【００１４】
本考案は、建造物の外壁の塗装作業を行う産業で利用されるが、大工や建築業などの建設産業でも利用される。さらには足場を製造販売したり足場を貸し出す産業においても利用される。
【図面の簡単な説明】
【００１５】
【図１】実施例１の架台の斜視図である。
【図２】実施例２の架台の斜視図である。
【図３】実施例３の足場の斜視図である。
【図４】実施例４の足場の斜視図である。
【符号の説明】
【００１６】
１  ：足場                  ２  ：足場                  ３  ：架台
３ａ：柱材                  ３ｂ：上長尺材              ３ｃ：中長尺材
３ｄ：下長尺材              ３ｅ：上短尺材              ３ｆ：中短尺材
３ｇ：下短尺材              ３ｈ：縦桟                  ３ｉ：ボルト穴
３ｊ：横桟                  ３ｋ：角棒                  ３ｐ：断面
４  ：架台                  ４ａ：柱材                  ４ｂ：上長尺材
４ｃ：中長尺材              ４ｄ：下長尺材              ４ｅ：上短尺材
４ｆ：中短尺材              ４ｇ：下短尺材              ４ｈ：縦桟
４ｉ：ボルト穴              ４ｊ：横桟                  ４ｋ：角棒
４ｍ：上中短尺材            ４ｎ：中下短尺材            ４ｐ：断面
５  ：作業床                ５ａ：床板                  ５ｂ：床板
６  ：作業面                ７  ：継手                  ７ａ：挿入部
７ｂ：非挿入部              ７ｃ：穴                    ８  ：補助柱
８ａ：補助横材              ８ｂ：補助縦材            １０  ：支柱材
１０ａ：止部材              １１  ：脚部                １１ａ：プレート
１１ｂ：ボルト部            １１ｃ：ナット部            １２  ：延長材
１４  ：手摺材              １６  ：足場板
【図１】
0003121964.tif 000003
【図２】
0003121964.tif 000004
【図３】
0003121964.tif 000005
【図４】
0003121964.tif 000006